(57)【要約】  巻き方向に巻くことができる材料からなる主シート（２）と、前記主シートに取り付けられた少なくとも１つの衣類取り付け手段（３）とを備え、主シートは、前記主シートの端部または端部近傍に、基本的に相互に平行にまた前記巻き方向に平行に配置されている少なくとも２つの細長い立ち上がり部（５、５’）を主シートの前側に備える衣類保持装置。主シートは、複数の折り曲げ線で曲げることができ、それぞれの折り曲げ線は基本的に前記巻き方向に対して垂直に配置される。または、主シートは連続的に曲げることができる。【選択図】図１ａ
2014514939.tif 000002
【特許請求の範囲】
【請求項１】
巻き方向に巻くことができる材料からなる主シートと、前記主シートに取り付けられた少なくとも１つの衣類取り付け手段とを備え、
前記主シートは、前記主シートの端部または端部近傍に、基本的に相互に平行に、また前記巻き方向に平行に配置されている少なくとも２つの細長い立ち上がり部を前記主シートの前側に備えることを特徴とする衣類保持装置。
【請求項２】
前記主シートは、それぞれの折り曲げ線が基本的に前記巻き方向に対して垂直に配置されている複数の折り曲げ線で曲げられることを特徴とする請求項１に記載の衣類保持装置。
【請求項３】
前記複数の折り曲げ線は、前記巻き方向に沿って互いに同距離に配置され、前記主シートが巻き取られているときには６角形の角柱のロッドが形成されることを特徴とする請求項２に記載の衣類保持装置。
【請求項４】
前記主シートは、前記巻き方向において連続的に曲げることができることを特徴とする請求項１に記載の衣類保持装置。
【請求項５】
前記主シートは、前記主シートが巻き取られた状態のときに、前記主シートの外側における２５Ｎ〜３５Ｎの半径方向の外部点荷重を表面領域のそれぞれの箇所で１０ｍｍを超える変形なしに受けとめるのに十分に高い剛性を、巻き方向に対して垂直な方向に、前記巻き方向におけるその長さの少なくとも一部に渡って有していることを特徴とする請求項１から４のいずれか一項に記載の衣類保持装置。
【請求項６】
前記主シートは、前記主シートが巻き取られた状態のときに、前記主シートの外側長さに広がる表面領域に渡って均等に分散した２１０Ｎ〜２７０Ｎの半径方向の外部荷重を、前記表面領域のそれぞれの箇所で１０ｍｍを超える変形なしに受けとめるのに十分に高い剛性を、前記巻き方向に対して垂直な方向に、前記巻き方向におけるその長さの少なくとも一部に渡って有していることを特徴とする請求項１から４のいずれか一項に記載の衣類保持装置。
【請求項７】
前記主シートは、前記主シートの前側の前記少なくとも２つの細長い立ち上がり部に対向して位置している少なくとも２つの緩衝部を前記主シートの後ろ側に備え、この緩衝部は巻取りの間、前記巻き取りを誘導するように少なくとも２つの細長い立ち上がり部と協働することを特徴とする請求項１から６のいずれか一項に記載の衣類保持装置。
【請求項８】
少なくとも１つの前記細長い立ち上がり部とそれに付随する緩衝部は、断面形状が少なくとも１つの突起とそれぞれの刻み目、またはその逆を有し、前記刻み目は前記突起に対応するように構成されていることを特徴とする請求項７に記載の衣類保持装置。
【請求項９】
前記細長い立ち上がり部および前記緩衝部の少なくとも一つは、巻き方向に垂直な方向に凹部を備えており、この凹部は例えばＶ字状または長方形形状であることを特徴とする請求項７または８に記載の衣類保持装置。
【請求項１０】
前記細長い立ち上がり部および前記緩衝部の少なくとも一つは、膨らませることができることを特徴とする請求項７から９のいずれか一項に記載の衣類保持装置。
【請求項１１】
少なくとも１つの衣類取り付け手段は、前記装置の前記巻き方向に柔軟性を有する衣服ハンガーであることを特徴とする請求項１から１０のいずれか一項に記載の衣類保持装置。
【請求項１２】
巻かれていない形態で前記装置を運ぶことに適したフックを備え、前記フックは衣類取り付け手段に一体化されるか、または取り付けられていることを特徴とする請求項１１に記載の衣類保持装置。
【請求項１３】
前記主シートの前側に取り付けられた２つの衣類取り付け手段と、１つの衣類取り付け手段に取り付けられるかまたは前記２つの衣類取り付け手段の間で主シートに取り付けられたフック同様に、前記２つの衣類取り付け手段の間にかつ前記２つの衣類取り付け手段に平行に前記主シートに設けられた折り目とを備えることを特徴とする請求項１から１２のいずれか一項に記載の衣類保持装置。
【請求項１４】
前記主シートに取り付けられたカバーシートを備え、前記カバーシートは主シートの前側の少なくとも一部を覆うように構成されているとともに、前記カバーシートを折り畳んでおくことにより、および／または、少なくとも部分的に前記カバーシートの取り付け手段を前記主シートから一時的に開放することにより、前記主シートを覆わないように構成されていることを特徴とする請求項１から１３のいずれか一項に記載の衣類保持装置。
【請求項１５】
前記主シートのそれぞれの細長い立ち上がり部は、より高い細長い部分と、より低い細長い部分とを有しており、それぞれのより高い部分は、それが近接している端部に面しており、前記カバーシートが前記主シートを覆っているときに、前記カバーシートは、前記主シートの細長い立ち上がり部のより低い部分に渡って位置していることを特徴とする請求項１４に記載の衣類保持装置。
【請求項１６】
前記緩衝部は、前記装置が巻き取られた状態のときに、前記より低い細長い部分に位置することができることを特徴とする請求項７および１５に記載の衣類保持装置。
【発明の詳細な説明】
【技術分野】
【０００１】
本発明は、請求項１の前文による衣類保持装置に関する。
【背景技術】
【０００２】
このような装置は知られており、スーツやドレスまたはガウンのような衣類を保存したり、及び／又は運搬したりするために使用される。それらの装置により、衣類のコンパクトな保存や運搬及び簡便な取扱いができるという利点がある。
【０００３】
１９９５年３月２０日発行された米国特許第５，６２４，０２６号公報には、種々のタイプの手荷物と共に使用するための衣類保持装置が開示されている。この衣類保持装置は、スーツや他の衣類を完全に巻きつけることができる実質的に円筒形の中空管と、その管の外表面に対して衣類をしっかりと保持するための布地カバーと、その管の外側に対してスーツや他の衣類を保持することができると共にその管の湾曲に順応するために十分にフレキシブルであるフレキシブルハンガーとを備える。布地カバーは、衣類及びその管を包み込むとともにその管の外側に対して衣類をしっかりと保持する。衣類は１８０度に折り畳まれる代わりに丸められるので衣類のしわは減少される。円筒の空洞内部は靴のようなかさばり、扱いにくい形状をしたものを運ぶために利用される。スーツ及び衣類が円筒の外側に巻きつけられるという方法（やり方）は、手荷物をコンパクトにし、持ち運び易くする。加えて衣類はもはや折り畳まれる必要やしわを招くことがなく、円筒の外側にやさしく巻きつけられることができる。この製品は、登録商標スカイロール（Skyroller）として市販されている。
【０００４】
米国特許第５，６２４，０２６号公報による公知の装置は、従来の衣類保持装置を改良している。従来の衣類保持装置は、スーツや他の衣服を２つ折りまたはそれ以上に折り畳むことを必要としており、衣類のそれぞれの部分にほぼ確実にしわを生じさせており、コンパクトでもない。しかしながら、上記の公知の装置でさえも、運搬および／又は保存するスーツまたは他の衣類にしわを生じさせるという欠点を依然として有している。従って本発明の目的は、一方で米国特許第５，６２４，０２６号公報に記載された公知の装置のコンパクトさを維持しつつ、特にしわを防ぐという改善された衣類保持装置を提供することである。
【発明の概要】
【０００５】
この目的は、請求項１の特徴を有する衣類保持装置によって実現される。
【０００６】
なぜならば、主シートは、前記主シートの端部または端部近傍に、基本的に相互に平行にまた前記巻き方向に平行に配置されている少なくとも２つの細長い立ち上がり部をその主シートの前側に備えており、その中にスーツまたは他の衣類に適した湾曲した隙間が作られている。この隙間において衣類は大きな力を加えられることなく、また、鋭く折り曲げられずに保持される。結果的に前述の米国特許第５，６２４，０２６号公報に記載されたような公知の衣類保持装置に比べて、衣類にしわや折り目が生じる可能性が少ない。
【０００７】
本発明による装置の他の利点は、それがほこりや水などを遮断して衣類を保持するロール型装置を作ることを容易にすることであり、結果としてロール型装置により衣類のより良い保護を容易にすることである。
【０００８】
本発明の一実施形態によれば、主シートは、それぞれの折り曲げ線が基本的に前記巻き方向に対して垂直に配置されている複数の折り曲げ線で曲げられる。これは、主シートの区分された構造、及び明確な巻き経路によるものである。
【０００９】
本発明の別の実施形態においては、複数の折り曲げ線は、前記巻き方向に沿って互いに同距離に配置されており、主シートが巻き取られているときには６角形の角柱のロッドが形成される。六角形の形状は、コンパクトさ、取扱いの便利さ、及び区分構造シートの存在に対しても好ましい組み合わせである。後者（区分構造シート）により、高い曲げ剛性が得られ、これにより装置の外部からの力に対する装置の中の衣類への高度の保護をもたらすことができる。
【００１０】
本発明の更なる実施形態においては、主シートは、巻き方向において連続的に曲げることができる。この実施形態は、単純な構造であり、衣類の折り目を極力少なくするので、優れた折り目防止効果がある。
【００１１】
別の実施形態においては、主シートは、前記主シートが巻き取られた状態のときに、主シートの外側における２５Ｎ〜３５Ｎの半径方向の外部点荷重を表面領域のそれぞれの箇所で１０ｍｍを超える変形なしに受けとめるのに十分に高い剛性を、巻き方向に対して垂直な方向に、巻き方向におけるその長さの少なくとも一部に渡って有している。これらの方策によって、例えば飛行機に乗るときに起こるような普通の旅行状況において、衣類が相互に圧縮されたり衣類にしわや折れ目が生じていることについて心配することがなく、装置を取り扱うことができる。例えば、飛行機旅行において一般的に用いられているように２３ｋｇの重さのスーツケースを本発明による装置の一角によりかからせてもよい。これらの特徴は、単層の材料からなる主シートだけでなく、多数の層からなる材料であって少なくとも１つの層が比較的堅い材料である主シートでも実現することができる。
【００１２】
さらに別の実施形態においては、前記主シートが巻き取られた状態のときに、前述の剛性は、主シートの外側長さに広がる表面領域に渡って均等に分散した２１０Ｎ〜２７０Ｎの半径方向の外部荷重を受けとめるのに十分である。このことにより、装置の取り扱いにおいて、例えばスーツケースのような他の手荷物をその上に置くことなど多少手荒いこともできる。
【００１３】
別の実施形態においては、主シートは、主シートの前側の前記少なくとも２つの細長い立ち上がり部に対向して位置している少なくとも２つの緩衝部を主シートの後ろ側に備える。この緩衝部は、巻き取りの間、前記巻き取りを誘導するように少なくとも２つの細長い立ち上がり部と協働する。このように、主シートは緩衝部と立ち上がり部の協力によって誘導され、より簡便な巻き取りを提供する。
【００１４】
特に、少なくとも１つの細長い立ち上がり部とそれに付随する緩衝部は、断面形状が少なくとも１つの突起とそれぞれの刻み目、またはその逆を有してもよい。前記刻み目は、前記突起に合わせるのに好適になっている。これは、より良い巻き取りを促進する。
【００１５】
別の実施形態においては、細長い立ち上がり部および緩衝部の少なくとも一つは、巻き方向に垂直な方向に凹部を備えている。この凹部は例えばＶ字状または長方形形状であり、種々の形状や大きさを有することができる。細長い立ち上がり部の形状と大きさの組み合わせにより、巻き取りは、例えば複数の側面を有する角柱形状のロッドのように区分ごとに生じる。
【００１６】
装置の更なる実施形態においては、細長い立ち上がり部および緩衝部の少なくとも一つは膨らませることができる。これは、装置が使用されていないとき、つまり装置が衣類を保持していないときのよりコンパクトな保管および運搬を考慮してのことである。
【００１７】
好ましくは、少なくとも１つの衣類取り付け手段は衣服ハンガーであって、衣服ハンガーは装置の巻き方向に柔軟性を有する。これにより、よりコンパクトに巻くことができる。用語「衣服ハンガー」は、装置でまたは装置の中で衣類を運ぶことに適した、主シートに取り付けられるいかなるものをも含む広い意味で解釈できることを注記しておく。
【００１８】
一実施形態においては、装置は巻かれていない形状で装置を運ぶことに適したフックを備える。該フックは、衣服ハンガーに一体化されているか、衣服ハンガーに取り付けられている。例えば、ホテルまたは家庭で据え付け状態で装置を吊り下げるためにフックを使用することが可能になる一方、巻かれていない主シートに対して衣類を吊り下げるために、フックにより保持された衣服ハンガーを活用することも可能になる。
【００１９】
別の実施形態においては、装置は、主シートの前側に取り付けられた２つの衣服ハンガーと、１つの衣服ハンガーに取り付けられるかまたは２つの衣服ハンガーの間で主シートに取り付けられたフック同様、前記２つの衣服ハンガーの間でかつ前記２つの衣服ハンガーに平行に、主シートに設けられた１つの折り目を備える。この実施形態においては、１つの衣服ハンガーがそれぞれの主シートの前側になるように、それらの裏側が互いに対向するように、主シートを２つの部分に折り畳むことが可能になる。フックは、戸棚、陳列台（stand）または同種のものに装置を吊り下げるために使用できる。それぞれの衣服ハンガーは、１点の衣服を運ぶことができる。そのような装置が運ばれるときには、その中で２点の衣服が容易にまっすぐに伸ばされ、その後、容易に巻き取られる。
【００２０】
さらなる実施形態では、主シートは、主シートに取り付けられたカバーシートを有する。該カバーシートは、主シートの前側の少なくとも一部を覆うように作られており、カバーシートを折り畳んでおくことにより主シートを覆わないように作られている。このようなカバーシートは分離された２点の衣服にも適している。さらに、それら（衣服）が主シートに巻き取られるときにもそれら（衣服）をしわや折り目から防止するのに適しており、あるいは巻き取られる前に衣服の一枚を覆うことにも適している。カバーシートは、また美的機能も有している。
【００２１】
さらなる実施形態において、主シートのそれぞれの細長い立ち上がり部は、より高い細長い部分と、より低い細長い部分とを有しており、それぞれのより高い部分は、それが近接している端部に面しており、前記カバーシートが前記主シートを覆っているときに、それ（カバーシート）は、前記主シートの細長い立ち上がり部のより低い部分に渡って位置している。このことによって、２点の衣服がそれぞれのコンパートメントで装置に適合しており、その一方でコンパクトな装置であるという利点を有している。緩衝部は、装置が巻き取られた状態のときに、巻き取りの便利なガイドとして、より低い細長い部分に位置することができる。
【００２２】
本発明は、以降本発明を限定することなく、単に本発明の説明のために添付図面を参照して好ましい実施形態に基づいて明らかにされる。
【図面の簡単な説明】
【００２３】
【図１】１ａ及び１ｂは、本発明の第１の実施形態を示す説明図であり、それぞれ、吊り下げるために折り畳んだ状態、および、荷造り及び荷ほどきのために広げた状態を示す。
【図２】本発明の第２の実施形態を示す説明図であり、垂れぶた（flap）を有することを除いては、第１の実施形態と同様である。
【図３】本発明の第３の実施形態を示す説明図である。
【図４】第１の実施形態のＡ−Ａの部分の断面を示す断面図である。
【図５】縁を有する垂れぶたを提供する本発明の第４の実施形態の断面を縮尺を考慮せずに概略を示す断面図である。
【発明を実施するための形態】
【００２４】
図１ａ及び１ｂにおいて、衣類保持装置１は、図１ｂに矢印によって示される巻き方向Ｒに巻くことができる材料からなる主シート２を備える。主シート２に取り付けられているのは、２つの衣類取り付け手段としての衣服ハンガー３とズボンホルダー４である。
【００２５】
主シート２は、２つの細長い立ち上がり部５、５’を主シートの前側（図１ｂの上面）に備えている。２つの細長い立ち上がり部は、主シート２の端部に接近して相対的に平行に、かつ、巻き方向Ｒに平行に配置されており、相互の相対距離は約６０ｃｍである。
【００２６】
主シート２は、Ｒ方向におけるその全長に渡って連続的に曲げることができる。代わりに、図示しないが、主シートは堅い部分と、それぞれが巻き方向Ｒに直交するように配置されている複数個の、例えば５個の、折り曲げ線とを備えていても良い。
【００２７】
主シート２は、少なくとも２つの緩衝部６、６’を主シートの後ろ側で、主シートの前側の前記少なくとも２つの細長い立ち上がり部５、５’に対向する位置に備える。
【００２８】
図４において、図１に示す本発明の一部が断面で示される。ここで、主シート２は目視でき、その前側の立ち上がり部５および主シートの後ろ側の緩衝部６も同様に目視できる。緩衝部６は、立ち上がり部５の形の補完的な形をしており、突端８と協働するくぼみ７を有する。結果的にこれらの手段によって、巻き取り中は、その巻き取りを誘導する形で緩衝部６は細長い立ち上がり部５と協働する。立ち上がり部５’および緩衝部６’も必要な変更を加えられた上で同様の働きを成す。
【００２９】
本発明においては、立ち上がり部５、５’および緩衝部６、６’は、主シート２の長さ方向の大きな部分に沿って延びていることに留意されたい。それらは、最後に巻き取られる部分においてのみ離れており、装置のカバーとしても役立つ。図示しないが、主シート２は、後ろ側に強化材料を備えており（図１ｂを参照）、これにより巻き方向に垂直な方向における高い剛性を提供している。これによって、おそらく衣類をその中に収納して装置が巻き取られた状態において、例えば装置をバスで、空港で、飛行機で、そして車などで運ぶ間、装置の内部で巻き取られている衣服が実質的に変形することなく、また変形に伴うしわや他の損傷もなく通常の取り扱いに耐えることができるように、その外側領域で十分な強度を有している。
【００３０】
衣服ハンガー３はスーツを掛けることも、もちろん、儀式用のドレスを含むドレス、または他の１点の衣服を運ぶこともできる。同様に、ズボンホルダー４にはズボン以外の他のものを掛けてもよい。衣服ハンガー３は、横方向において（Ｒは縦方向である）十分な剛性と強度とを提供する一方で、主シート２が巻き取られたり曲げられたりすることを許容するに足るフレキシビリティを維持することができるように、その中にロッドを有する発泡体から作られている。
【００３１】
加えて、衣服ハンガー３はフック９と一体化されており、装置はフック９により、巻かれていない形態に変えられることができ、これにより、それ（装置）は戸棚または陳列台（図示せず）に吊るされてもよい。
【００３２】
衣服ハンガー３及びズボンホルダー４は、共に主シート２の前側に取り付けられ、そして主シート２における端部１０に一致する折り目（folding line）が衣服ハンガー３とズボンホルダー４との間に平行に設けられている。主シート２の開口（図示せず）によって、主シートが巻かれた状態のときにフック９が外側に到達することができる。これによって、その装置が巻かれた状態でフックによって人が運ぶことや、フックによって装置を吊り下げることが可能になる。
【００３３】
詳細は述べないが、しかし目下のところ、装置を水平方向巻きまたは垂直方向巻きのいずれかに巻き取られた状態で運ぶために、それぞれに巻き取られた状態で装置を固定するための種々のストラップ及び取っ手（grips）がある。両方の（水平、垂直の）位置があるのは状況や環境次第で有益になりうる。
【００３４】
特に、巻かれた状態で装置の端部あるいは端部付近に取り付けられるショルダーストラップについて述べる（図示せず）。ショルダーストラップは、その人が肩の上にそのストラップをあてがうことによって装置を都合よく運ぶことができるように十分に長く、巻き取られた装置が水平方向に吊るされている間、装置がお尻の高さまたはほぼその高さにある。
【００３５】
管１３は、巻き始めとなる主シート２の端にある。このような管は、より大きな半径を有して巻き取るために便利であり、結果的に衣類のしわはより小さくなる。管は、より大きな容積が与えられれば、ネクタイまたは靴のような物体をその中に保持するためにも便利である。
【００３６】
図２は図１に示す実施形態とほとんど同一の実施形態を示すが、主シート２に取り付けられた薄い透明なプラスチックシートの形態をした追加のカバーシート１２を備えることだけが図１と異なる。カバーシート１２は、それが主シート２の上に折り畳まれているときに、主シート２の前側の一部を覆う。すなわち、端部１０に一致する折り目によって分けられる一着の衣類に対する２つの部分の一つを覆う。
【００３７】
図５における本発明の第４の実施形態において、主シートの細長い立ち上がり部のそれぞれがより高い細長い部分１３とより低い細長い部分１４とを有しており、ここで、それぞれのより高い部分はそれが接近している端部に面している。カバーシートまたは垂れぶた１５は、主シート２から離れて面する側に２つの立ち上がりリム１６を有しており、装置が巻き取られたとき、主シート２の細長い立ち上がり部のより低い部分１４に位置している。図示しないが、垂れぶたに取り付けられたハンガーがリム１６のその（垂れぶたの）同じ側にある。本実施形態においては、装置が巻き取られるとき、衣服の２点を分離されたコンパートメントで装置の内部に保存することができる。
【００３８】
緩衝部１７は主シート２の後ろ側に取り付けられている。装置が巻き取られた状態のとき、それらはリム１６に置かれている。
【００３９】
垂れぶた１５の端部の押しボタン（図示ぜす）の存在により、垂れぶたは主シートから取り外し可能であり、装置が巻かれていない状態で２つのより小さな区画の代わりに単一のより大きなコンパートメントを提供するために、例えばリム１６が主シートに面するように垂れぶたを逆さまに取り付けることができる。
【００４０】
この実施形態においては、垂れぶた１５は伸縮性物質から作られており、これが装置のしわ防止効果を高める。
【００４１】
リム１６は、緩衝部１７の高さが増大している間、除いてもよいことに留意されたい。この方法では垂れぶた１５はもはやリムによって補強されない。しかしこの機能は、特に伸縮物質が垂れぶた１５に用いられているときには、より低い立ち上がり部分１４に垂れぶたを取り付けている押しボタンによって引き継がれる。
【００４２】
３つの図示した実施形態は、また、主シート２を自動的に巻き取り、または伸長する手段を備える。これらの手段は、立ち上がり部５、５’および／又は緩衝部６、６’と一体化してもよい。このような手段は本来知られており、それらは、例えば、人工衛星の巻いていないＲＦアンテナやブレスレットに適用されている。
【００４３】
本発明の特許請求の範囲を逸脱せずに、示した実施形態に対する変形が可能である。例えば、主シートは、巻かれた製品の対称軸に平行に配列された竹製のロッドから製造されてもよい。加えて、細長い立ち上がり部および緩衝部は、多少圧縮可能でもよく、主シートの巻き方向における高さが変化してもよい。
【図１ａ】
2014514939.tif 000003
【図１ｂ】
2014514939.tif 000004
【図２】
2014514939.tif 000005
【図３】
2014514939.tif 000006
【図４】
2014514939.tif 000007
【図５】
2014514939.tif 000008
【手続補正書】
【提出日】平成25年11月14日(2013.11.14)
【手続補正１】
【補正対象書類名】特許請求の範囲
【補正対象項目名】全文
【補正方法】変更
【補正の内容】
【特許請求の範囲】
【請求項１】
巻き方向に巻くことができる材料からなる主シートと、前記主シートに取り付けられた少なくとも一つの衣類取り付け手段とを備え、
前記主シートは、前記主シートの端部または端部近傍に、基本的に相互に平行に、また前記巻き方向に平行に配置されている少なくとも２つの細長い立ち上がり部を前記主シートの前側に備えることにより湾曲した隙間を生成し、この隙間において衣類は大きな力を加えられることなく保持されることを特徴とする衣類保持装置。
【請求項２】
前記細長い立ち上がり部、および緩衝部は圧縮可能であることを特徴とする請求項１に記載の衣類保持装置。
【請求項３】
前記細長い立ち上がり部、および緩衝部は前記主シートの前記巻き方向における高さを変えることができることを特徴とする請求項１または２に記載の衣類保持装置。
【請求項４】
前記主シートは、それぞれの折り曲げ線が基本的に前記巻き方向に対して垂直に配置されている複数の折り曲げ線で曲げられ、前記複数の折り曲げ線は、前記巻き方向に沿って互いに同距離に配置され、前記主シートが巻き取られているときには６角形の角柱のロッドが形成されることを特徴とする請求項１に記載の衣類保持装置。
【請求項５】
前記主シートは、前記主シートが巻き取られた状態のときに、前記主シートの外側における２５Ｎ〜３５Ｎの半径方向の外部点荷重を表面領域のそれぞれの箇所で１０ｍｍを超える変形なしに受けとめるのに十分に高い剛性を、巻き方向に対して垂直な方向に、前記巻き方向におけるその長さの少なくとも一部に渡って有していることを特徴とする請求項１から４のいずれか一項に記載の衣類保持装置。
【請求項６】
前記主シートは、前記主シートが巻き取られた状態のときに、前記主シートの外側長さに広がる表面領域に渡って均等に分散した２１０Ｎ〜２７０Ｎの半径方向の外部荷重を、前記表面領域のそれぞれの箇所で１０ｍｍを超える変形なしに受けとめるのに十分に高い剛性を、前記巻き方向に対して垂直な方向に、前記巻き方向におけるその長さの少なくとも一部に渡って有していることを特徴とする請求項１から４のいずれか一項に記載の衣類保持装置。
【請求項７】
前記主シートは、前記主シートの前側の前記少なくとも２つの細長い立ち上がり部に対向して位置している少なくとも２つの緩衝部を前記主シートの後ろ側に備え、この緩衝部は巻取りの間、前記巻き取りを誘導するように少なくとも２つの細長い立ち上がり部と協働することを特徴とする請求項１から６のいずれか一項に記載の衣類保持装置。
【請求項８】
少なくとも一つの前記細長い立ち上がり部とそれに付随する緩衝部は、断面形状が少なくとも一つの突起とそれぞれの刻み目、またはその逆を有し、前記刻み目は前記突起に対応するように構成されていることを特徴とする請求項７に記載の衣類保持装置。
【請求項９】
前記細長い立ち上がり部および前記緩衝部の少なくとも一つは、巻き方向に垂直な方向に凹部を備えており、この凹部は例えばＶ字状または長方形形状であることを特徴とする請求項７または８に記載の衣類保持装置。
【請求項１０】
前記細長い立ち上がり部および前記緩衝部の少なくとも一つは、膨らませることができることを特徴とする請求項７から９のいずれか一項に記載の衣類保持装置。
【請求項１１】
少なくとも一つの衣類取り付け手段は、前記装置の前記巻き方向に柔軟性を有する衣服ハンガーであることを特徴とする請求項１から１０のいずれか一項に記載の衣類保持装置。
【請求項１２】
巻かれていない形態で前記装置を運ぶことに適したフックを備え、前記フックは衣類取り付け手段に一体化されるか、または取り付けられていることを特徴とする請求項１１に記載の衣類保持装置。
【請求項１３】
前記主シートの前側に取り付けられた２つの衣類取り付け手段と、１つの衣類取り付け手段に取り付けられるかまたは前記２つの衣類取り付け手段の間で主シートに取り付けられたフック同様に、前記２つの衣類取り付け手段の間でかつ前記２つの衣類取り付け手段に平行に前記主シートに設けられた折り目とを備えることを特徴とする請求項１から１２のいずれか一項に記載の衣類保持装置。
【請求項１４】
前記主シートに取り付けられたカバーシートを備え、前記カバーシートは主シートの前側の少なくとも一部を覆うように構成されているとともに、前記カバーシートを折り畳んでおくことにより、および／または、少なくとも部分的に前記カバーシートの取り付け手段を前記主シートから一時的に開放することにより、前記主シートを覆わないように構成されていることを特徴とする請求項１から１３のいずれか一項に記載の衣類保持装置。
【請求項１５】
前記主シートのそれぞれの細長い立ち上がり部は、より高い細長い部分と、より低い細長い部分とを有しており、それぞれのより高い部分は、それが近接している端部に面しており、前記カバーシートが前記主シートを覆っているときに、前記カバーシートは、前記主シートの細長い立ち上がり部のより低い部分に渡って位置していることを特徴とする請求項１４に記載の衣類保持装置。
【請求項１６】
前記緩衝部は、前記装置が巻き取られた状態のときに、前記より低い細長い部分に位置することができることを特徴とする請求項７および１５に記載の衣類保持装置。
【国際調査報告】
2014514939.tif 000009
2014514939.tif 000010